(57)【要約】【課題】造作材も含めた施主が選択できる室内の建築要素を全て、壁面に配置することができ、２つの壁面を有する空間も簡単に構成できるインテリアコーディネートシミュレーションキットＫを確立する。【解決手段】板状の基部２、及びこの基部２の一側に基部２と直交するように連続する板状の縦部３からなり、基部２において自立可能なＬ字型の室内面構成基板１と、建築構成要素を表す複数種類の建築構成要素サンプルとしてのドア枠サンプル１０、ドア面材サンプル１２、幅木サンプル１３及び床材サンプル１７とを備えてなり、この複数種類の建築構成要素サンプル１０，１２，１３，１７のうちドア枠サンプル１０、ドア面材サンプル１２及び幅木サンプル１３は、上記基板１の内側面に裏面で磁石２０により着脱可能に固定されるものとする。【選択図】図６
2012103429.tif 000002
【特許請求の範囲】
【請求項１】
板状の基部と、該基部の一側に基部と直交するように連続する板状の縦部とからなっていて、該基部及び縦部間の内側空間が室内空間を表し、基部において自立可能なＬ字型の室内面構成基板と、
建築構成要素を表す複数種類の建築構成要素サンプルとを備えてなり、
上記複数種類の建築構成要素サンプルの少なくとも一部は、上記基板の内側面に裏面で着脱可能に固定されるものであることを特徴とするインテリアコーディネートシミュレーションキット。
【請求項２】
請求項１において、
基板が磁性体からなる一方、
基板の内側面に裏面で着脱可能に固定される建築構成要素サンプルには、上記磁性体に磁力で吸着する磁石が設けられていることを特徴とするインテリアコーディネートシミュレーションキット。
【請求項３】
請求項１又は２において、
基板の基部上面に建築構成要素サンプルとしての床材サンプルが載置される一方、
縦部の内側面に少なくともドア、造作材、壁材、壁厚収納を含む建築構成要素サンプルが着脱可能に固定されることを特徴とするインテリアコーディネートシミュレーションキット。
【発明の詳細な説明】
【技術分野】
【０００１】
本発明は、インテリアを模擬的にコーディネートするためのシミュレーションキットに関するものである。
【背景技術】
【０００２】
インテリアのコーディネートを検討する際に、展示会場やショールーム等で部屋に見立てた空間を設けて、その空間に実際の製品を施工することでコーディネートのイメージを確認する方法がある。しかし、この方法では、スペース、コスト、時間、手間等がかかる上、複数の色柄の組み合わせを同時に検討することは困難である。
【０００３】
一方、近年では、ＣＧ画像（コンピュータグラフィックス画像）を用いることが知られており、この方法では、パソコン画面上で簡単に自分の思い通りのシミュレーションを行うことができる。しかし、あくまでも平面的なイメージしか得られず、微妙な色合いや素材感からなる質感までは再現できないという問題がある。
【０００４】
そこで、従来、これら両者のメリット及びデメリットを勘案したものとして、ミニチュア模型を用いたものが提案されている。例えば特許文献１には、前部を開放し後部に壁面を配置した室内模型を構成し、床面に該当する床パターンを複数枚取換可能に用意し、壁面にはドアパターンを複数枚取換可能に用意したインテリアコーディネート体験装置が開示されている。
【先行技術文献】
【特許文献】
【０００５】
【特許文献１】特開２００２−９１３２０号公報
【発明の概要】
【発明が解決しようとする課題】
【０００６】
しかし、この特許文献１のものでは、部屋自体は床とドアだけによる概略のイメージが決まるだけであり、むしろ家具とのコーディネートが主体となっており、部屋全体に関してのコーディネートを検討することに難がある。
【０００７】
本発明は斯かる点に鑑みてなされたものであり、その目的は、造作材も含めた施主が選択できる室内の建築要素を全て壁面に配置することができ、２つの壁面を有する空間も簡単に構成できるインテリアコーディネートシミュレーションキットを確立することにある。
【課題を解決するための手段】
【０００８】
上記の目的を達成するために、この発明では、Ｌ字型の基板を利用してその内側空間を室内空間と模し、その基板の内側面に、建築構成要素を表す建築構成要素サンプルを着脱可能に固定できるようにした。
【０００９】
具体的には、請求項１の発明に係るインテリアコーディネートシミュレーションキットは、板状の基部、及びこの基部の一側に基部と直交するように連続する板状の縦部からなっていて、該基部及び縦部間の内側空間が室内空間を表し、基部において自立可能なＬ字型の室内面構成基板と、建築構成要素を表す複数種類の建築構成要素サンプルとを備えている。そして、この複数種類の建築構成要素サンプルの少なくとも一部は、上記基板の内側面に裏面で着脱可能に固定されるものとする。
【００１０】
この請求項１の発明では、インテリアコーディネートシミュレーションキットを用いてインテリアをコーディネートする場合、Ｌ字型の基板の基部及び縦部の各内側面にそれぞれ建築構成要素サンプルを配置することで、基部及び縦部間の内側空間が例えば縮小された室内空間として表される。そして、建築構成要素サンプルは基板の基部及び縦部の各内側面に着脱可能であるので、その建築構成要素サンプルを他の異なる色柄や材質のものに取り換え、各サンプル同士間又はその基板との組み合わせを交換することによってインテリアコーディネートのイメージを容易に確認することができる。すなわち、簡単なキットでインテリアコーディネートシミュレーションが可能となる。
【００１１】
また、基板を複数枚使用し、それらを基部同士が重なりかつ縦部同士が直角に交差するように配置することで、室内の複数の面を簡単に表現することができる。また、基部を上側になるように配置すれば、室内空間の天井面と壁面との間のインテリアコーディネートもシミュレーションすることができる。
【００１２】
そして、キットを使用しないときには、複数の基板がある場合にそれらを同じ向きにして重ねることにより、容易にかつ小さくして省スペース空間に片付けることができる。
【００１３】
請求項２の発明では、上記基板が磁性体からなる一方、上記基板の内側面に裏面で着脱可能に固定される建築構成要素サンプルには、上記磁性体に磁力で吸着する磁石が設けられていることを特徴とする。
【００１４】
この請求項２の発明では、基板の内側面に裏面で着脱可能に固定される建築構成要素サンプルに設けられている磁石を、磁性体からなる基板に磁力で吸着させることで、建築構成要素サンプルを容易に基板内側面に吸着させて固定することができる。また、その建築構成要素サンプルを基板内側面から取り外して交換することも容易となる。
【００１５】
請求項３の発明では、上記基板の基部上面に建築構成要素サンプルとしての床材サンプルが載置される一方、上記縦部の内側面に少なくともドア、造作材、壁材、壁厚収納を含む建築構成要素サンプルが着脱可能に固定されることを特徴とする。
【００１６】
この請求項３の発明では、基板の基部上面が床面となって床材サンプルが載置され、縦部の内側面が壁面となってドア、造作材、壁材、壁厚収納を含む建築構成要素サンプルが着脱可能に固定される。このことで、部屋の室内空間における床面の床材と、壁面のドア、造作材、壁材、壁厚収納を含む建築構成要素との間のインテリアコーディネートを容易にシミュレーションすることができる。
【発明の効果】
【００１７】
以上説明したように、請求項１の発明によると、インテリアコーディネートシミュレーションキットとして、板状の基部及び縦部間の内側空間が室内空間を表すＬ字型の室内面構成基板と、建築構成要素を表す複数種類の建築構成要素サンプルとを備え、この複数種類の建築構成要素サンプルの少なくとも一部が基板の内側面に裏面で着脱可能に固定されるようにしたことにより、建築構成要素サンプルを他の異なる色柄や材質のものに取り換えることによってインテリアコーディネートのイメージを容易に確認して、簡単なキットでインテリアコーディネートシミュレーションを行うことができる。また、複数枚の基板を使用して室内の複数の面を簡単に表現することができるとともに、基部を上側になるように配置して、室内空間の天井面と壁面との間のインテリアコーディネートもシミュレーションすることができる。
【００１８】
請求項２の発明によると、基板を磁性体からなす一方、基板の内側面に裏面で着脱可能に固定される建築構成要素サンプルに磁石を設けたことにより、建築構成要素サンプルを容易に基板内側面に吸着させて固定することができ、その建築構成要素サンプルを基板内側面から容易に取り外して交換することもできる。
【００１９】
請求項３の発明によると、基板の基部上面に床材サンプルを載置し、縦部の内側面にドア、造作材、壁材、壁厚収納を含む建築構成要素サンプルを着脱可能に固定するようにしたことにより、部屋の室内空間における床面の床材と、壁面のドア、造作材、壁材、壁厚収納を含む建築構成要素との間のインテリアコーディネートを容易にシミュレーションすることができる。
【図面の簡単な説明】
【００２０】
【図１】図１はインテリアコーディネートシミュレーションキットの使用状態を示す斜視図である。
【図２】図２はインテリアコーディネートシミュレーションキットの使用状態を示す正面図である。
【図３】図３はインテリアコーディネートシミュレーションキットの使用状態を示す側面図である。
【図４】図４（ａ）はドア枠サンプルを裏面側から見た正面図、図４（ｂ）はドア面材サンプルを裏面側から見た正面図、図４（ｃ）は幅木サンプルの拡大断面図である。
【図５】図５は床材サンプルの拡大平面図である。
【図６】図６は、各サンプルを基板に固定する状態を示す斜視図である。
【図７】図７は、２つの基板を用いて室内の２つの壁面を再現するときの状態を示す斜視図である。
【発明を実施するための形態】
【００２１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２２】
図１〜図３は本発明の実施形態に係るインテリアコーディネートシミュレーションキットＫ（以下、単にキットともいう）を示し、このキットＫは室内面構成基板１と複数種類の建築構成要素サンプル１０，１２，１３，１７とを備えている。
【００２３】
（室内面構成基板）
上記室内面構成基板１は、所定厚さ（例えば２ｍｍ）の矩形状の鉄板を長さ方向の中間部で直角にＬ字状に折り曲げた持ち運び可能なＬ字型のものであり、例えば幅が３０３ｍで奥行きが２５５ｍｍの板状の基部２と、この基部２の奥行き側の一側に基部２と直交するように連続し、例えば幅が３０３ｍで高さが３５７ｍｍの板状の縦部３とからなる。
【００２４】
この基板１において基部２と縦部３との間の内側空間４は、縮小された室内空間を表すものとし、その基部２は床面（基板１の自立状態）又は天井面（基板１の倒立状態）となり、縦部３の内側面は室内の壁面となる。その壁面（縦部３の内側面）には所定の色柄や質感の壁紙５が接着剤によって貼られており、この壁紙５は標準的な色柄等のものが標準品として複数種類用意されている。尚、この壁紙５は、後述するドア枠サンプル１０及びドア面材サンプル１２を固定する部位が刳り抜かれたものを用いてもよい。また、標準品以外のオプション的な壁紙として、磁石や粘着シート等によって基板１の縦部３に着脱可能にしたものも用いられ、この標準品以外の壁紙は必要に応じてその都度付け外しする。
【００２５】
そして、基板１は基部２において該基板１裏面（外側面）が載置面に当接した状態で自立可能となっている。
【００２６】
（建築構成要素サンプル）
一方、上記複数種類の建築構成要素サンプルは、実際の建築構成要素のミニチュアを表すものである。すなわち、この実施形態では、建築構成要素サンプルとして、左右のドア縦枠部１０ａ，１０ａの上端部間にドア上枠部１０ｂを掛け渡してなり実際のドア枠を表すドア枠サンプル１０と、そのドア枠サンプル１０内に配置され、実際のドア面材を表すドア面材サンプル１２と、上記ドア枠の下端両側に配置される造作材であり実際の幅木を表す左右の幅木サンプル１３，１３と、実際の床材を表す床材サンプル１７とが例として設けられている。上記ドア面材サンプル１２には、その幅方向の一側（図示例では左側）にドアハンドルを示すハンドルサンプル１２ａが、また幅方向の他側（図示例では右側）に上下２つの蝶番を示す蝶番サンプル１２ｂ，１２ｂがそれぞれ取付固定されている。これらの各サンプル１０，１２，１３，１７（建築構成要素サンプル）は、実際の建築構成要素の例えば１／７のスケールの寸法のものとされており、実際の建築構成要素と同じ色柄及び素材感を有するものとされている。
【００２７】
例えば、ドア枠サンプル１０は、４ｍｍ×４ｍｍの断面矩形状の樹脂材の表面全体に実際のドア枠の表面材に用いられるシート材が巻き付けられたものであり、その色柄及び素材感は実際のドア枠と同じとされている。また、ドア面材サンプル１２は、厚さ３ｍｍのＭＤＦの表面に実際のドア面材の表面材に用いられるシート材が貼り付けられたものであり、その色柄及び素材感は実際のドア面材と同じとされている。さらに、幅木サンプル１３は、図４（ｃ）に示すように、厚さ２ｍｍで幅８ｍｍの断面矩形状の樹脂材１４の表裏面にそれぞれ後述する厚さ１ｍｍで幅８ｍｍのシート状磁石２０，２０を積層一体化し、その積層体の表面全体に実際の幅木の表面材に用いられるシート材１５が巻き付けられたものであり、その色柄及び素材感は実際の幅木と同じとされている。尚、上記各実際のシート材に代え、外観がシート材と同等となるように印刷を施したシート材を用いてもよい。
【００２８】
また、床材サンプル１７は、図５に示すように、厚さ１２ｍｍで幅及び長さが共に基板１における基部２の幅と同じ３０３ｍｍの尺角サンプルであり、実際の化粧床材のカットサンプルが用いられる。１７ａは床材表面の溝部である。これによって床材サンプル１７は、別途専用のサンプルを作ることなく製品をカットするだけで簡単に作ることができる。
【００２９】
上記ドア面材サンプル１２のハンドルサンプル１２ａは、例えば厚紙に実際のドアハンドルの色柄及び素材に近い印刷を施したものが用いられている。また、蝶番サンプル１２ｂは、ほぼ縮尺寸法に合った市販品が用いられている。
【００３０】
尚、建築構成要素サンプルとしては、上記の他に、造作材としての回り縁、見切、額縁、窓枠等の各サンプル、壁材や壁厚収納等のサンプルを加えてもよい。
【００３１】
上記複数種類の建築構成要素サンプル１０，１２，１３，１７のうち、ドア枠サンプル１０、ドア面材サンプル１２及び各幅木サンプル１３は、各々の裏面にて上記基板１の縦部３の内側面に着脱可能に固定されるようになっている。一方、床材サンプル１７は、基板１の基部２の内側面（上面）に裏面にて当接して載置される。
【００３２】
上記裏面にて基板１の縦部３内側面に着脱可能に固定されるサンプル１０，１２，１３には、その裏面又は内部に、上記基板１の材料である鉄板（磁性体）に磁力で吸着する永久磁石からなるシート状磁石２０が設けられている。
【００３３】
具体的には、図４（ａ）に示すように、上記ドア枠サンプル１０の裏面には、その上端部、上下中間部及び下端部においてドア縦枠部１０ａ，１０ａ間に亘り３枚のシート状磁石２０，２０，…が掛け渡されて接着により一体的に取付固定されている。この各シート状磁石２０は、樹脂に磁石材料を混入して磁化した例えば厚さ１ｍｍのシート状のものであり、若干の可撓性を有する。そして、この３枚のシート状磁石２０，２０，…によりドア枠サンプル１０を基板１の縦部３内側面に着脱可能に固定するようにしている。
【００３４】
また、図４（ｂ）に示すように、上記ドア面材サンプル１２は、その裏面の上下部において２枚のシート状磁石２０，２０が一体的に接着されて固定されており、これらのシート状磁石２０，２０によりドア面材サンプル１２を基板１の縦部３内側面に着脱可能に固定するようにしている。尚、このドア面材サンプル１２における２枚のシート状磁石２０，２０の位置は、ドア枠サンプル１０の３枚のシート状磁石２０，２０，…の間に設定されており、ドア枠サンプル１０内にドア面材サンプル１２を配置した状態で両者を基板１の縦部３内側面に固定したときに、ドア面材サンプル１２の磁石２０，２０がドア枠サンプル１０の磁石２０，２０，…と重ならず、いずれも直接に基板１に当接して吸着されるようになっている。
【００３５】
さらに、幅木サンプル１３は、上記の構造により内部表裏側の磁石２０，２０により表裏面のいずれでも基板１の縦部３内側面に着脱可能に固定されるようになっている。
【００３６】
そして、インテリアコーディネートをシミュレーションする際には、キットＫの基板１における基部２上面を床面として、その上に建築構成要素サンプルとしての床材サンプル１７が載置される一方、縦部３の内側面にドア枠サンプル１０、ドア面材サンプル１２、幅木サンプル１３（建築構成要素サンプル）が各々の下端を床材サンプル１７の上面に当接させた状態で着脱可能に固定されるようにしている。
【００３７】
この実施形態におけるキットＫの基板１は、壁紙５について色柄及び素材の異なる複数種類の標準品が接着されたもの（一般的なもの）が用意されており、オプションの色柄等については着脱可能としたシートが用いられる。また、ドア枠サンプル１０、ドア面材サンプル１２、幅木サンプル１３及び床材サンプル１７についても色柄及び素材の異なる複数種類のものが用意されている。
【００３８】
尚、必要に応じて収納家具、机、椅子等のミニチュアサンプルを用意し、それらを床材サンプル１７上に配置することもできる。
【００３９】
この実施形態において、キットＫを使用してインテリアコーディネートをシミュレーションする場合について説明する。壁紙５の色柄及び素材が異なる複数種類の基板１，１，…の中から、所定の色柄及び素材の壁紙５を有する基板１が選択される。また、ドア枠サンプル１０、ドア面材サンプル１２、幅木サンプル１３及び床材サンプル１７においても、色柄及び素材の異なる複数種類の中から所定の色柄及び素材を有するドア枠サンプル１０、ドア面材サンプル１２、幅木サンプル１３及び床材サンプル１７が選択される。そして、その選択された基板１、ドア枠サンプル１０、ドア面材サンプル１２、幅木サンプル１３及び床材サンプル１７を組み合わせ、図６に示すように、基板１の基部２内側面（上面）に床材サンプル１７を載置するとともに、基板１の縦部３の内側面にドア枠サンプル１０、ドア面材サンプル１２、幅木サンプル１３を各々の下端が床材サンプル１７の上面に当接した状態で固定する。この状態で、キットＫにより室内空間が再現されるので、その壁紙、ドア枠、ドア面材、幅木、床材についてのカラーコーディネートや質感等の検討を行えばよい。
【００４０】
その際、ドア枠サンプル１０及びドア面材サンプル１２の各裏面側にはシート状磁石２０が取付固定され、幅木サンプル１３の内部にもシート状磁石２０が収容されているので、そのシート磁石２０を磁力によって基板１に吸着させることで、各サンプル１０，１２，１３を基板１にワンタッチで固定することができる。また、これらの各サンプル１０，１２，１３は磁石２０により基板１に吸着保持されるので、基板１を持ち上げたり移動させたりしてもサンプル１０，１２，１３が位置ずれすることはなく、安定してカラーコーディネート等を検討することができる。
【００４１】
また、カラーコーディネート等に問題があって、他の色柄や質感に変えるときには、ドア枠、ドア面材、幅木、床材については、それらサンプル１０，１２，１３，１７の一部又は全部を基板１から取り外し、他の色柄及び素材を有するドア枠サンプル１０、ドア面材サンプル１２、幅木サンプル１３又は床材サンプル１７を選択して、それを基板１に固定する。また、壁紙５については、ドア枠、ドア面材、幅木、床材の各サンプル１０，１２，１３，１７を全て取り外した後、基板１自体を他のものに交換し、それに元のドア枠、ドア面材、幅木、床材の各サンプルサンプル１０，１２，１３，１７を固定すればよい。
【００４２】
その際、各サンプル１０，１２，１３，１７を容易に基板１から取り外して交換することができる。
【００４３】
したがって、この実施形態においては、インテリアを模擬的にコーディネートする場合、Ｌ字型の基板１の基部２及び縦部３の各内側面にそれぞれ建築構成要素としての各サンプル１０，１２，１３，１７を配置し、それらサンプル１０，１２，１３，１７は基板１の基部２及び縦部３の各内側面に着脱可能であるので、そのサンプル１０，１２，１３，１７を他の異なる色柄や材質のものに取り換え、それらの組み合わせを交換することによってインテリアコーディネートのイメージを容易に確認することができ、部屋の室内空間における床面の床材と、壁面のドア、造作材、壁材、壁厚収納を含む建築構成要素との間のインテリアコーディネートを簡単なキットＫで容易にシミュレーションすることができる。
【００４４】
そして、キットＫを使用しないときには、複数の基板１，１，…を同じ向きにして重ねることにより容易にかつ小さくして省スペース空間に片付けることができる。
【００４５】
以上の説明では、キットＫを用いて、１面の壁面を有する室内空間を表すインテリアコーディネートシミュレーションについて行っている。これに対し、図７に示すように、２つの基板１，１を各々の基部２，２が上下に重なり、かつ縦部３，３が各々の一側部で互いに接した状態で直交するように配置して組み合わせれば、２面の壁面を有する空間を再現することができる。この空間の床面、つまり２つの基板１，１の重なった基部２，２上に床材サンプル１７を載置し、各基板１の縦部３内側面にサンプルを吸着して固定すればよい。図示例では、一方の基板１の縦部３に、図１〜図３に示すものと同様にドア枠サンプル１０、ドア面材サンプル１２及び幅木サンプル１３を固定し、他方の基板１の縦部３に、実際のクロークを表すドア枠サンプル１０′、実際のクロークドアを表すドア面材サンプル１２′及び幅木サンプル１３，１３を固定している。これらドア枠サンプル１０′、ドア面材サンプル１２′及び幅木サンプル１３は、図示しないが、上記ドア枠サンプル１０、ドア面材サンプル１２及び幅木サンプル１３と同様の構造により、裏面にて基板１の縦部３にシート状磁石２０により吸着されて固定されるようになっている。
【００４６】
こうすれば、２つの壁面の一方はドアを、また他方はクロークや収納等をそれぞれ配設して複数の建築構成要素を同時に検討することができる。
【００４７】
また、上記キットＫでは、基部２を下側にしてその上に床材サンプル１７を配置しているが、基部２を上側にして倒立状態に配置し、その基部２内側面（下面）に実際の天井材を表す天井材サンプル（図示せず）を、その裏面（上面）に固定した磁石によって吸着保持するようにすれば、天井材を含むインテリアコーディネートをも容易にシミュレーションすることができる。この場合、基板１は自立しないので、傾倒不能に支持しておく必要がある。また、２枚の基板１，１を各々の縦部３，３同士が重なり、かつ各々の基部２，２が上下に対向するように配置して組み合わせれば、床面、壁面及び天井面を有する室内空間を再現することができる。
【００４８】
尚、上記実施形態では、建築構成要素サンプルに磁石２０を設けて、その磁力により建築構成要素サンプルを基板１に吸着させるようにしているが、その他の吸着固定手段、例えば粘着シート等を用いることもできる。
【産業上の利用可能性】
【００４９】
本発明は、インテリアコーディネートのイメージを容易に確認して、簡単なキットでインテリアコーディネートシミュレーションを行うことができるので、極めて有用であり、産業上の利用可能性が高い。
【符号の説明】
【００５０】
Ｋ  インテリアコーディネートシミュレーションキット
１  基板
２  基部
３  縦部
４  内側空間
５  壁紙
１０，１０′  ドア枠サンプル（建築構成要素サンプル）
１２，１２′  ドア面材サンプル（建築構成要素サンプル）
１３  幅木サンプル（建築構成要素サンプル）
１７  床材サンプル（建築構成要素サンプル）
２０  シート状磁石
【図１】
2012103429.tif 000003
【図２】
2012103429.tif 000004
【図３】
2012103429.tif 000005
【図４】
2012103429.tif 000006
【図５】
2012103429.tif 000007
【図６】
2012103429.tif 000008
【図７】
2012103429.tif 000009